(57)【要約】【課題】  一つのシェルフまたは処理部に割り当てる下り通信ハイウェイ数を簡単な方式で多くする。【解決手段】  シェルフ１０Ａ〜１０Ｄ内の通信インタフェース１１Ａ〜１１Ｄにそれぞれ接続された複数の上りハイウェイ１６Ａ〜１６Ｄよりも多数の下りハイウェイ１７を設ける。複数の下りハイウェイ１７を介してスイッチ１３から選択部１２Ｂに音声信号が伝達され、選択部１２Ｂは最適な音声信号を選択して上りハイウェイ１６Ｂを介してスイッチ１３に選択された音声信号を伝達する。少なくとも一つの下りハイウェイ１７ａはハイウェイ分配部１４により通信インタフェース１１Ａ〜１１Ｄの各々に接続されるように分岐されている。【選択図】        図２
2005073069.tif 000002
【特許請求の範囲】
【請求項１】
互いに異なる外部装置とそれぞれが信号を送受信する複数の通信インタフェースと、
前記複数の通信インタフェースにそれぞれ接続された複数の上り通信ハイウェイと、
前記上り通信ハイウェイよりも多数の下り通信ハイウェイと、
前記上り通信ハイウェイを介して伝達される信号を前記上り通信ハイウェイに応じた下り通信ハイウェイに出力するスイッチと、
複数の前記下り通信ハイウェイを介して前記スイッチから伝達される信号を処理して、一つの前記上り通信ハイウェイを介して前記スイッチに前記処理の結果を伝達する処理部と、
少なくとも一つの前記下り通信ハイウェイを前記通信インタフェースの各々に接続されるように分岐させるハイウェイ分配部とを備え、
前記スイッチは、複数の前記通信インタフェースから前記上り通信ハイウェイを介して伝達される信号を複数の前記下り通信ハイウェイを介して前記処理部に伝達し、前記処理部から前記上り通信ハイウェイを介して伝達される前記処理の結果を前記分岐された下り通信ハイウェイを介して複数の前記通信インタフェースに伝達することを特徴とする通信中継装置。
【請求項２】
処理部は、複数の下り通信ハイウェイを介してスイッチから伝達される信号のうち設定された条件を満たす信号を選択して、一つの上り通信ハイウェイを介して前記スイッチに処理の結果として前記選択された信号を伝達する選択部であり、
前記スイッチは、複数の通信インタフェースから上り通信ハイウェイを介して伝達される信号を前記選択部に接続された複数の前記下り通信ハイウェイに伝達し、前記選択部から一つの前記上り通信ハイウェイを介して伝達される前記選択された信号を複数の前記通信インタフェースに接続された前記分岐された下り通信ハイウェイに伝達することを特徴とする請求項１記載の通信中継装置。
【請求項３】
各々にモジュールが配置されうる複数のシェルフを有するマルチシェルフアセンブリと、
前記複数のシェルフにそれぞれ接続された複数の上り通信ハイウェイと、
前記上り通信ハイウェイよりも多数設けられ、少なくとも一つの前記シェルフに接続された下り通信ハイウェイと、
前記上り通信ハイウェイを介して伝達される信号を前記上り通信ハイウェイに応じた下り通信ハイウェイに出力するスイッチと、
少なくとも一つの前記下り通信ハイウェイを前記シェルフの各々に接続されるように分岐させるハイウェイ分配部とを備えた通信中継装置。
【発明の詳細な説明】
【技術分野】
【０００１】
この発明は、通信中継装置に関するものである。
【背景技術】
【０００２】
通信交換装置に時分割スイッチを設けることは、例えば特許文献１〜特許文献３に記載されている通り周知である。
【０００３】
従来の通信中継装置には、各々に通信インタフェースが配置された複数のシェルフを有するマルチシェルフアセンブリと、通信インタフェースから上り通信ハイウェイを介して伝達される信号を通信インタフェースに接続された下り通信ハイウェイに分配する時分割スイッチを備えるものがある。このような通信中継装置においては、通常、上り通信ハイウェイと下り通信ハイウェイは同数であり、シェルフに均等な数の下り通信ハイウェイが接続されるように、時分割スイッチに接続された複数の下り通信ハイウェイがシェルフに割り当てられている。例えばマルチシェルフアセンブリに４つのシェルフがあり、下り通信ハイウェイの総数が８本である場合には、各シェルフには均等に２本ずつハイウェイが割り当てられている。
【０００４】
【特許文献１】特開平９−２１９６８９号公報
【特許文献２】特開平１０−１４５８２６号公報
【特許文献３】特開平１０−２３５６８号公報
【発明の開示】
【発明が解決しようとする課題】
【０００５】
しかし、あるシェルフに上り通信よりも下り通信で大量のデータを処理させたい場合もある。例えば、複数のシェルフから同時に上り通信で時分割スイッチに伝達された全信号を一つのシェルフに集中させ、このシェルフに収容された処理部でこれらの信号の性質（例えば強度）を調査または比較するような場合である。このような場合には、そのシェルフに上り通信ハイウェイよりも多数の下り通信ハイウェイを接続するという方策が考えられる。しかし、このような場合には、処理容量が大きく、より多くの下り通信ハイウェイを接続することが可能な時分割スイッチを使用する必要があると考えられる。
【０００６】
この発明は、上記のような課題を解決するためになされたものであって、第１の目的は、一つのシェルフまたは一つの処理部に割り当てる下り通信ハイウェイ数を簡単な方式で多くすることが可能な通信中継装置を提供するものである。
【課題を解決するための手段】
【０００７】
この発明に係る通信中継装置は、互いに異なる外部装置とそれぞれが信号を送受信する複数の通信インタフェースと、前記複数の通信インタフェースにそれぞれ接続された複数の上り通信ハイウェイと、前記上り通信ハイウェイよりも多数の下り通信ハイウェイと、前記上り通信ハイウェイを介して伝達される信号を前記上り通信ハイウェイに応じた下り通信ハイウェイに出力するスイッチと、複数の前記下り通信ハイウェイを介して前記スイッチから伝達される信号を処理して、一つの前記上り通信ハイウェイを介して前記スイッチに前記処理の結果を伝達する処理部と、少なくとも一つの前記下り通信ハイウェイを前記通信インタフェースの各々に接続されるように分岐させるハイウェイ分配部とを備え、前記スイッチは、複数の前記通信インタフェースから前記上り通信ハイウェイを介して伝達される信号を複数の前記下り通信ハイウェイを介して前記処理部に伝達し、前記処理部から前記上り通信ハイウェイを介して伝達される前記処理の結果を前記分岐された下り通信ハイウェイを介して複数の前記通信インタフェースに伝達するものである。
【発明の効果】
【０００８】
この発明は、ハイウェイ分配部が少なくとも一つの下り通信ハイウェイを通信インタフェースの各々に接続されるように分岐させるので、処理部に割り当てる下り通信ハイウェイ数を簡単な方式で多くすることが可能である。
【発明を実施するための最良の形態】
【０００９】
以下、図面を参照しながらこの発明に係る実施の形態を説明する。
実施の形態１．
図１は、この発明に係る通信中継装置１を示す概略図である。図１に示すように、この通信中継装置１は、マルチシェルフアセンブリ１０と、時分割スイッチ１３と、ハイウェイ分配部１４と、回線終端装置１５を有する。マルチシェルフアセンブリ１０は複数のシェルフ１０Ａ〜１０Ｄを持つ棚状の構造を有しており、シェルフ１０Ａ〜１０Ｄの各々にはモジュール（例えばカードパッケージ）が収容されている。図示の実施の形態では４つのシェルフ１０Ａ〜１０Ｄが設けられているが、シェルフの個数を限定する意図ではない。
【００１０】
シェルフ１０Ａ〜１０Ｄは、外部装置と信号を送受信することが可能な通信インタフェース（ＩＦ）１１Ａ〜１１Ｄをそれぞれ有する。通信インタフェース１１Ａ〜１１Ｄの各々は、互いに異なる外部装置と信号を送受信することが可能である。また、一つのシェルフには、入力された信号のうち設定された条件を満たす信号を選択して、その信号を出力する機能を有する選択部（処理部）が設けられている。選択部を設けるべきシェルフは任意であるが、図示の実施の形態では、シェルフ１０Ｂに選択部（処理部）１２Ｂが設けられている。通信インタフェース１１Ａ〜１１Ｄはシェルフ内のモジュールに通信インタフェース機能を実行するアプリケーションプログラムを実装することにより実現されており、選択部１２Ｂはシェルフ１０Ｂ内の通信インタフェース１１Ｂと物理的に同一のモジュールに選択部の機能を実行するアプリケーションプログラムを実装することにより実現されている。
【００１１】
シェルフ１０Ａ〜１０Ｄは、上り通信ハイウェイ１６Ａ〜１６Ｄを介して時分割スイッチ１３に接続されている。シェルフ１０Ａ〜１０Ｄの各々には、２本ずつ上り通信ハイウェイが接続されている。上り通信ハイウェイ１６Ａ〜１６Ｄの対のうち少なくとも片方（好ましくは両方）は、対応するシェルフ１０Ａ〜１０Ｄ内の通信インタフェース１１Ａ〜１１Ｄに接続されている。また上り通信ハイウェイ１６Ｂのうち少なくとも片方は選択部１２Ｂに接続されている。このようにして、通信インタフェース１１Ａ〜１１Ｄは、外部装置から受信した信号を上り通信ハイウェイ１６Ａ〜１６Ｄを介して時分割スイッチ１３に供給することができ、選択部１２Ｂも上り通信ハイウェイ１６Ｂを介して選択部１２Ｂの出力信号を時分割スイッチ１３に供給することができる。
【００１２】
時分割スイッチ１３は、上り通信ハイウェイ１６Ａ〜１６Ｄの総数と同数の（図示の形態では８本の）下り通信ハイウェイ１７に接続されている。時分割スイッチ１３は、上り通信ハイウェイ１６Ａ〜１６Ｄを介して伝達される信号を上り通信ハイウェイ１６Ａ〜１６Ｄに応じた下り通信ハイウェイ１７に出力する。時分割スイッチ１３でパス設定された上り通信ハイウェイ１６Ａ〜１６Ｄと下り通信ハイウェイ１７の対応関係については後述する。この明細書において、「上り」とはマルチシェルフアセンブリ１０から時分割スイッチ１３に向かう信号の進行方向を指し、「下り」とは時分割スイッチ１３からマルチシェルフアセンブリ１０に向かう信号の進行方向を指す。
【００１３】
この実施の形態では、通信中継装置１内で処理される信号はフレームの形式を有しており、タイムスロットを利用した時分割方式で通信中継装置１内の各要素間を転送される。時分割スイッチ１３は、公知の手法でハイウェイ上の各チャンネルの時間的位置を入れ替える機能を有する。
【００１４】
ハイウェイ分配部１４は、下り通信ハイウェイ１７をシェルフ１０Ａ〜１０Ｄと同数（図示の形態では４つ）の組の第２の下り通信ハイウェイ１８Ａ〜１８Ｄに分配する。これらの第２の下り通信ハイウェイ１８Ａ〜１８Ｄは、それぞれシェルフ１０Ａ〜１０Ｄ内のモジュールに接続されている。各々の組での第２の下り通信ハイウェイは、下り通信ハイウェイ１７と同数（８本）であり、各々の組での第２の下り通信ハイウェイはそれぞれ下り通信ハイウェイ１７と対応付けられ、対応する下り通信ハイウェイ１７上の信号をシェルフ１０Ａ〜１０Ｄの全てに伝達することが可能である。従って、シェルフ１０Ａ〜１０Ｄ内のモジュールには同じ信号が同時に受信されるようになっている。
【００１５】
具体的には、ハイウェイ分配部１４では、図２に示すように１本の下り通信ハイウェイ１７から４本の第２の下り通信ハイウェイ１８Ａ〜１８Ｄが分岐しており、これらの第２の下り通信ハイウェイがそれぞれ別個のシェルフに接続されている。シェルフ１０Ｂ内の選択部１２Ｂには、第２の下り通信ハイウェイ１８Ｂの全てが接続されており、時分割スイッチ１３から下り通信ハイウェイ１７の全てに出力された信号が第２の下り通信ハイウェイ１８Ｂの全てを経て同時に選択部１２Ｂに受信されるようになっている。また、少なくとも一つ（好ましくは二つ）の下り通信ハイウェイ１７から分岐した第２の下り通信ハイウェイ１８Ａ〜１８Ｄの各々は、通信インタフェース１１Ａ〜１１Ｄに接続されており、時分割スイッチ１３からその下り通信ハイウェイ１７に出力された信号が通信インタフェース１１Ａ〜１１Ｄに受信されるようになっている。図示の形態では、下り通信ハイウェイ１７ａから分岐した第２の下り通信ハイウェイ１８Ａａ〜１８Ｄａが通信インタフェース１１Ａ〜１１Ｄに接続されている。なお、シェルフ１０Ｂ内の通信インタフェース１１Ｂと選択部１２Ｂが設けられたモジュールでは、ある時間単位おきに通信インタフェース１１Ｂと選択部１２Ｂの機能を切り換えるようになっている。
【００１６】
図１に示すように、回線終端装置１５には通信インタフェース１１Ａ〜１１Ｄが接続されており、この通信中継装置１は、回線終端装置１５を介して無線ネットワーク２に接続されている。無線ネットワーク２は、回線終端装置２０と、複数の基地局２１Ａ〜２１Ｄと、複数の移動局２２ａ〜２２ｆを備える。回線終端装置２０は、通信中継装置１の回線終端装置１５および基地局２１Ａ〜２１Ｄに接続されている。回線終端装置１５，２０は、通信中継装置１内で処理される信号と無線ネットワーク２内で処理される信号の間の整合をとるためのプロトコル変換を行う。
【００１７】
基地局２１Ａ〜２１Ｄは、自局のセル内の移動局２２ａ〜２２ｆと無線通信する。無線ネットワーク２で利用可能な移動局２２ａ〜２２ｆは、プレストークが可能な無線端末である。すなわち各移動局は、所持者が通話ボタンを押している間だけ周囲の音に応じた音声信号を無線で基地局に送信することができる。各基地局は移動局から受信した音声信号を回線終端装置２０を介して通信中継装置１に転送する。また各基地局は通信中継装置１から受信した音声信号を自局のセル内の移動局に転送し、移動局は電源がオンの間は常に音声信号を受信でき、受信した音声信号に基づいて音声を再生する。
【００１８】
基地局２１Ａ〜２１Ｄは、通信中継装置１の通信インタフェース１１Ａ〜１１Ｄと同数設けられており、各々の基地局２１Ａ〜２１Ｄは、各々の通信インタフェース１１Ａ〜１１Ｄと一対一の対応関係を持つ。つまり、シェルフ１０Ａ内の通信インタフェース１１Ａは、基地局２１Ａに由来する音声信号を少なくとも一本の上り通信ハイウェイ１６Ａを介して時分割スイッチ１３に送信し、ハイウェイ分配部１４から受信した音声信号を基地局２１Ａに送信する。同様に、通信インタフェース１１Ｂは基地局２１Ｂと関連し、通信インタフェース１１Ｃは基地局２１Ｃと関連し、通信インタフェース１１Ｄは基地局２１Ｄと関連する。
【００１９】
前記の通信中継装置１と無線ネットワーク２を備えた通信システムは、電話会議システムとして使用することができ、最も大きな音量を持つ音声信号を選択して移動局２２ａ〜２２ｆにブロードキャストするのに便利である。以下、図３を参照しながら、この通信システムの全体の動作を説明する。まず移動局２２ａ〜２２ｆの全てが電話会議に参加していると想定する。
【００２０】
移動局２２ａ〜２２ｆのうち所持者により通話ボタンが押された移動局から発せられた音声信号は、その移動局に対応する基地局および通信インタフェースを経て時分割スイッチ１３に伝達される。時分割スイッチ１３は、全ての通信インタフェース１１Ａ〜１１Ｄから上り通信ハイウェイ１６Ａ〜１６Ｄを介して伝達される音声信号を選択部１２Ｂに接続された下り通信ハイウェイ１７の全てに伝達するようにパス設定されている。従って、これらの音声信号が選択部１２Ｂに伝達される。
【００２１】
選択部１２Ｂは、全ての下り通信ハイウェイ１７を介して時分割スイッチ１３からある時間単位（例えば１００ｍｓ）内に同時に受信される音声信号（フレーム）の各々のヘッダ部に格納された無線電界強度情報を解析し、最も無線電界強度が大きい音声信号を選択して他を廃棄する。その直後、選択部１２Ｂは一つの上り通信ハイウェイ１６Ｂを介して時分割スイッチ１３に処理の結果として選択された音声信号を伝達する。無線電界強度情報は例えば基地局２１Ａ〜２１Ｄで測定して音声信号に付与すればよい。
【００２２】
また、時分割スイッチ１３は、選択部１２Ｂから一つの上り通信ハイウェイ１６Ｂを介して伝達される選択された音声信号を全ての通信インタフェース１１Ａ〜１１Ｄに接続された前記の分岐された下り通信ハイウェイ１７ａに伝達するようにパス設定されている。従って、選択された音声信号は、分岐された下り通信ハイウェイ１７ａおよび第２の下り通信ハイウェイ１８Ａａ〜１８Ｄａを経て全ての通信インタフェース１１Ａ〜１１Ｄに到達し、さらに基地局２１Ａ〜２１Ｄを経て電話会議に参加している移動局２２ａ〜２２ｆにブロードキャストされる。
【００２３】
以上説明したように、この実施の形態によれば、ハイウェイ分配部１４が少なくとも一つの下り通信ハイウェイ１７ａを通信インタフェース１１Ａ〜１１Ｄの各々に接続されるように分岐させるので、選択部１２Ｂに割り当てる下り通信ハイウェイ数を簡単な方式で多くすることが可能である。
【００２４】
また、選択部１２Ｂは、上り通信ハイウェイ１６Ａ〜１６Ｄよりも多数の下り通信ハイウェイ１７を介して時分割スイッチ１３から伝達される音声信号のうち最も無線電界強度が大きい音声信号選択して、一つの上り通信ハイウェイ１６Ｂを介して時分割スイッチ１３に前記処理の結果としての選択された音声信号を伝達し、時分割スイッチ１３は、複数の通信インタフェース１１Ａ〜１１Ｄから上り通信ハイウェイ１６Ａ〜１６Ｄを介して伝達される音声信号を選択部１２Ｂに接続された複数の下り通信ハイウェイ１７に伝達し、選択部１２Ｂから一つの上り通信ハイウェイ１６Ｂを介して伝達される前記選択された音声信号を複数の通信インタフェース１１Ａ〜１１Ｄに接続された前記分岐された下り通信ハイウェイ１７ａに伝達する。従って、簡単な構造の下で最も大きな音量を持つ音声信号を選択してブロードキャストすることができる。
【００２５】
また、各々にモジュールが配置されうる複数のシェルフ１０Ａ〜１０Ｄを有するマルチシェルフアセンブリ１０を利用し、少なくとも一つの下り通信ハイウェイ１７ａをシェルフ１０Ａ〜１０Ｄの各々に接続されるようにハイウェイ分配部１４が分岐させるので、シェルフ１０Ａ〜１０Ｄに配置するモジュールに通信インタフェース１１Ａ〜１１Ｄおよび選択部１２Ｂの機能を持たせることが容易であり、選択部１２Ｂに割り当てる下り通信ハイウェイ数を簡単な方式で多くすることが可能であるとともに、簡単な構造の下で最も大きな音量を持つ音声信号を選択してブロードキャストすることができる。
【００２６】
前記の実施の形態を改変して、電話会議に関連する基地局を限定またはグループ分けしたり、電話会議に参加できる移動局を限定またはグループ分けしたりすることも可能である。
【００２７】
電話会議に関連する基地局を限定する場合には、ハイウェイ分配部１４のパス設定ならびに第２の下り通信ハイウェイ１８Ａ〜１８Ｄとシェルフ１０Ａ〜１０Ｄの接続関係を変更すればよい。例えば基地局２１Ｂ，２１Ｃに限定する場合には、通信インタフェース１１Ｂ，１１Ｃから上り通信ハイウェイ１６Ｂ，１６Ｃを経て伝達される音声信号を選択部１２Ｂに伝達するようにハイウェイ分配部１４のパス設定ならびに第２の下り通信ハイウェイ１８Ｂと選択部１２Ｂの接続関係を変更する。また、選択部１２Ｂから上り通信ハイウェイ１６Ｂを経て伝達される選択された音声信号を通信インタフェース１１Ｂ，１１Ｃに伝達するようにハイウェイ分配部１４のパス設定ならびに第２の下り通信ハイウェイ１８Ｂ，１８Ｃとシェルフ１０Ｂ，１０Ｃの接続関係を調整すればよい。これにより基地局２１Ｂ，２１Ｃのセル内の移動局が電話会議に参加できる。
【００２８】
電話会議に関連する基地局をグループ分けする場合には、同様の変更に加えて選択部の数を増やせばよい。例えば基地局２１Ｂ，２１Ｃを一つのグループにし、基地局２１Ａ，２１Ｄを他の一つのグループになるように基地局２１Ａ〜２１Ｄを分類する場合を想定する。この場合には、基地局２１Ｂ，２１Ｃに関しては、前記の基地局２１Ｂ，２１Ｃへの限定と同様にパス設定および接続を行えばよい。また、基地局２１Ａ，２１Ｄのグループに関しては、シェルフ１０Ａ，１０Ｄのいずれかに第２の選択部を設け、通信インタフェース１１Ａ，１１Ｄから上り通信ハイウェイ１６Ａ，１６Ｄを経て伝達される音声信号を第２の選択部に伝達するようにハイウェイ分配部１４のパスを設定し、第２の下り通信ハイウェイ１８Ａまたは１８Ｄと第２選択部を接続すればよい。また、選択部１２Ｂから上り通信ハイウェイ１６Ｂを経て伝達される選択された音声信号を通信インタフェース１１Ａ，１１Ｄに伝達するようにハイウェイ分配部１４のパスを設定し、第２の下り通信ハイウェイ１８Ａ，１８Ｄとシェルフ１０Ａ，１０Ｄの接続関係を調整すればよい。これにより各グループは独立に電話会議を行える。
【００２９】
電話会議に参加できる移動局を限定する場合には、例えばあらかじめ基地局から電話会議に参加できる移動局の位置登録情報を時分割スイッチ１３に付属する制御部とシェルフ１０Ａ〜１０Ｄ内の各モジュールに送ればよい。位置登録情報に応じて制御部が時分割スイッチ１３のパス設定を変更し、各モジュールが第２の下り通信ハイウェイ１８Ａ〜１８Ｄと通信インタフェース１１Ａ〜１１Ｄおよび選択部１２Ｂの有効な接続関係を調整できるようにすれば、所望の移動局だけが電話会議に参加できる。同様の変更に加えて選択部の数を増やすことにより、電話会議に参加できる移動局をグループ分けすることも可能である。
【００３０】
上記の実施の形態では、信号を交換するスイッチとして時分割スイッチ１３を使用しているが、上り通信ハイウェイに応じて下り通信ハイウェイに信号を分配する他の適切なスイッチを使用してもよい。
【００３１】
上記の実施の形態では音声信号による電話会議を行うが、音声信号に加えてあるいはこれに変えて、動画像、静止画像、文字メッセージなどの伝達にこの実施の形態を使用してもよい。
【００３２】
上記の実施の形態では、シェルフ１０Ａ〜１０Ｄの各々に通信インタフェース１１Ａ〜１１Ｄが配置されているが、あるシェルフに複数の通信インタフェースを設け、あるシェルフには通信インタフェースを設けないようにしてもよい。
【００３３】
上記の実施の形態では、図２に示すように、各々の組での第２の下り通信ハイウェイは、下り通信ハイウェイ１７と同数（８本）であり、各々の組での第２の下り通信ハイウェイはそれぞれ下り通信ハイウェイ１７と対応付けられ、対応する下り通信ハイウェイ１７上の信号をシェルフ１０Ａ〜１０Ｄの全てに伝達することが可能である。このため、複数のシェルフのうち任意のシェルフのモジュールに選択部の機能を与えることが容易に行える。ただし、下り通信ハイウェイ１７の全てから第２の下り通信ハイウェイ１８Ａ〜１８Ｄを分岐させなくてもよく、少なくともブロードキャストに関わる下り通信ハイウェイ１７が通信インタフェースの各々に接続されるようにその下り通信ハイウェイ１７を分岐させればよい。
【図面の簡単な説明】
【００３４】
【図１】この発明の実施の形態に係る通信中継装置とこの通信中継装置が協働する無線ネットワークを示す概略図である。
【図２】図１の通信中継装置で使用される通信ハイウェイの詳細を示す図である。
【図３】図１の通信中継装置と無線ネットワークの組合せである通信システムの動作を示すフローダイアグラムである。
【符号の説明】
【００３５】
１  通信中継装置、２  無線ネットワーク、１０  マルチシェルフアセンブリ、１０Ａ〜１０Ｄ  シェルフ、１１Ａ〜１１Ｄ  通信インタフェース（ＩＦ）、１２Ｂ  選択部（処理部）、１３  時分割スイッチ、１４  ハイウェイ分配部、１５  回線終端装置、１６Ａ〜１６Ｄ  上り通信ハイウェイ、１７  下り通信ハイウェイ、１７ａ  分岐された下り通信ハイウェイ、１８Ａ〜１８Ｄ  第２の下り通信ハイウェイ、２０  回線終端装置、２１Ａ〜２１Ｄ  基地局、２２ａ〜２２ｆ  移動局。
【図１】
2005073069.tif 000003
【図２】
2005073069.tif 000004
【図３】
2005073069.tif 000005